(57)【要約】      （修正有）【課題】長尺シートを九十九折りにして積み重ねていくにあたり、より効率よく作業することができる長尺シート九十九折り装置を提供する。【解決手段】長尺シートＳを所定の位置に供給する供給手段１０と、供給されてきた長尺シートＳの一方の主面側に位置する第一の折り返し位置Ｐ１及び他方の主面側に位置する第二の折り返し位置Ｐ２のそれぞれに、長尺シートＳを交互に誘導する誘導手段２０とを備え、誘導手段２０によって、長尺シートＳを二つの折り返し位置Ｐ１，Ｐ２に交互に誘導して折り返すことで、折り返される向きが上下で互い違いとなるように長尺シートＳを九十九折りにして積み重ねていく構成とする。【選択図】図１
2011213467.tif 000002
【特許請求の範囲】
【請求項１】
長尺シートを所定の位置に供給する供給手段と、
供給されてきた前記長尺シートの一方の主面側に位置する第一の折り返し位置及び他方の主面側に位置する第二の折り返し位置のそれぞれに、前記長尺シートを交互に誘導する誘導手段とを備え、
折り返す向きが上下で互い違いとなるように前記誘導手段によって前記長尺シートを折り返しながら積み重ねていくことを特徴とする長尺シート九十九折り装置。
【請求項２】
前記誘導手段が、前記長尺シートの幅方向に沿って延在させた凸条を有する雄部材と、前記長尺シートを間に挟んだ状態で前記凸条が挿入可能な凹溝を有する雌部材とを有する雌雄一対の部材からなる狭持部材を備え、
前記第一又は第二の折り返し位置に前記長尺シートを誘導するに際して、前記雄部材と前記雌部材とが近接し、前記長尺シートを挟持して折りクセを形成するとともに、前記凹溝に前記長尺シートを保持させる請求項１に記載の長尺シート九十九折り装置。
【請求項３】
誘導手段が、前記長尺シートを前記第一の折り返し位置に誘導する第一誘導部と、前記長尺シートを前記第二の折り返し位置に誘導する第二誘導部とを有し、
前記第一誘導部と前記第二誘導部のそれぞれに、前記雄部材と前記雌部材とを交互に複数ずつ周縁に沿って等角度間隔で取り付けた請求項２に記載の長尺シート九十九折り装置。
【請求項４】
対をなす前記雄部材と前記雌部材とが、平行に配された二つの軸の各々を中心とする同一円周上を互いに逆回りに同期して周回するよう取り付けられている請求項２又は３のいずれか一項に記載の長尺シート九十九折り装置。
【請求項５】
前記雌部材に前記凹溝内に開口する吸引口を形成し、
前記凹溝に保持された前記長尺シートを吸引しながら前記第一又は第二の折り返し位置に誘導するようにした請求項２〜４のいずれか一項に記載の長尺シート九十九折り装置。
【請求項６】
前記凹溝に保持された前記長尺シートを引き剥がす剥離アームを備える請求項２〜５のいずれか一項に記載の長尺シート九十九折り装置。
【発明の詳細な説明】
【技術分野】
【０００１】
本発明は、長尺シートを九十九折りにして積み重ねるための長尺シート九十九折り装置に関する。
【背景技術】
【０００２】
本出願人は、特許文献１において、長尺シートを九十九折りにして積み重ねていくことができる九十九折り装置を先に提案した。
【０００３】
かかる九十九折り装置にあっては、まず、保持手段に一端が保持された長尺シートを、その両端縁側に配設された二組のローラ対のそれぞれのローラ間に通しつつ、当該ローラ対を長尺シートの長手方向に沿って所定の長さ分だけ移動させ、次いで、各ローラ対の上下を入れ換えることによって長尺シートを折り返す。そして、この長尺シートの折り返し部をクランプなどで狭持した後に、各ローラ対を逆方向に移動させ、その後は、上記動作を繰り返すことで、長尺シートを九十九折りにして積み重ねていくことができるようになっている。
【先行技術文献】
【特許文献】
【０００４】
【特許文献１】特開２００５−３４３６２７号公報
【発明の概要】
【発明が解決しようとする課題】
【０００５】
上記の如き装置によれば、長尺シートを効率よく九十九折りにすることができるが、本出願人がさらなる検討を重ねたところ、未だ改善の余地があるとの知見を得るに至った。
例えば、上記装置において、ローラ対を移動させて長尺シートを折り返すにあたっては、長尺シートの全長にわたってローラ対を移動させなければならないが、このとき、長尺シートに過剰な負荷がかかってしまったり、ローラ対から長尺シートが外れてしまったりしないように、ローラ対の移動速度を適宜調整する必要があるため、作業効率を高めるには限界があった。たま、長尺シートを九十九折りにして積み重ねていく際には、長尺シートの折り返し部に折りクセを付けておくことで、より嵩張らずに積み重ねていくことができるが、長尺シートの折り返し部をクランプなどで狭持するだけでは、十分な折りクセを付けることができない場合があることも懸念された。
【０００６】
本発明は、上記の事情にかんがみなされたものであり、長尺シートを九十九折りにして積み重ねていくにあたり、より効率よく作業することができる長尺シート九十九折り装置の提供を目的とする。
【課題を解決するための手段】
【０００７】
本発明に係る長尺シート九十九折り装置は、長尺シートを所定の位置に供給する供給手段と、供給されてきた前記長尺シートの一方の主面側に位置する第一の折り返し位置及び他方の主面側に位置する第二の折り返し位置のそれぞれに、前記長尺シートを交互に誘導する誘導手段とを備え、折り返す向きが上下で互い違いとなるように前記誘導手段によって前記長尺シートを折り返しながら積み重ねていく構成としてある。
【発明の効果】
【０００８】
本発明によれば、長尺シートをより効率よく九十九折りにして積み重ねていくことができる。
【図面の簡単な説明】
【０００９】
【図１】本発明に係る長尺シート九十九折り装置の実施形態を示す概略図である。
【図２】図１中一点鎖線で囲む部分を示す要部拡大図である。
【図３】図１のＸ−Ｘ矢視図である。
【図４】図１のＹ−Ｙ矢視図である。
【図５】図３のＺ−Ｚ矢視図である。
【図６】図３のＢ−Ｂ断面図である。
【図７】本発明に係る長尺シート九十九折り装置の実施形態における要部の動作を説明する概略図である。
【図８】本発明に係る長尺シート九十九折り装置の実施形態の動作を説明する概略図である。
【図９】本発明に係る長尺シート九十九折り装置の実施形態の動作を説明する概略図である。
【図１０】本発明に係る長尺シート九十九折り装置の他の実施形態における誘導手段の一例を示す概略図である。
【発明を実施するための形態】
【００１０】
以下、本発明の好ましい実施形態について、図面を参照しつつ説明する。
図１は、本実施形態に係る長尺シート九十九折り装置を示す概略図であり、図２は、図１中一点鎖線で囲む部分を示す要部拡大図である。また、図３は、図１のＸ−Ｘ矢視図、図４は、図１のＹ−Ｙ矢視図、図５は、図３のＺ−Ｚ矢視図、図６は、図３のＢ−Ｂ断面図である。
【００１１】
これらの図に示す例において、装置１は、長尺シートＳを所定の位置に供給する供給手段１０と、供給されてきた長尺シートＳの一方の主面側に位置する第一の折り返し位置Ｐ１及び他方の主面側に位置する第二の折り返し位置Ｐ２のそれぞれに、長尺シートＳを交互に誘導する誘導手段２０とを備えている。そして、誘導手段２０によって、長尺シートＳを二つの折り返し位置Ｐ１，Ｐ２に交互に誘導して折り返すことで、折り返される向きが上下で互い違いとなるように長尺シートＳを九十九折りにして積み重ねていくことができるようになっている。
【００１２】
供給手段１０は、誘導手段２０に向けて鉛直方向下向きに長尺シートＳを搬送するための送り機構１１と、所定の長さごとに長尺シートＳを切断するための切断部１２とを有している。送り機構１１は、切断部１２の上下に配置された上側送り部１１ａ及び下側送り部１１ｂを有している。上側送り部１１ａ及び下側送り部１１ｂのそれぞれは、図示するように、二つのローラ１１０間に複数の無端ベルト１１１を張架したものを二組ずつ対向配置させてなり、長尺シートＳを保持した状態で搬送できるようになっている。このようにすることで、長尺シートＳを切断部１２によって切断したときに、供給手段１０から長尺シートＳが脱落してしまうのを防止している。
【００１３】
誘導手段２０は、長尺シートＳを第一の折り返し位置Ｐ１に誘導する第一誘導部２１と、長尺シートＳを第二の折り返し位置Ｐ２に誘導する第二誘導部２２とを有している。
第一誘導部２１と第二誘導部２２のそれぞれには、供給されてきた長尺シートＳの幅方向に沿って延在させた凸条３２を有する雄部材３１と、長尺シートＳを間に挟んだ状態で、雄部材３１の凸条３２が挿入可能な凹溝３６を有する雌部材３５とが取り付けられている。そして、第一誘導部２１に取り付けられた雄部材３１と、第二誘導部２２に取り付けられた雌部材３５とが対になって狭持部材３０をなしている（図２参照）。同様に、第一誘導部２１に取り付けられた雌部材３５と、第二誘導部２２に取り付けられた雄部材３１とが、もう一つの狭持部材３０をなすようになっており、図示する例では、第一誘導部２１と第二誘導部２２のそれぞれに、雄部材３１と雌部材３５とを交互に二つずつ周縁に沿って等角度間隔で取り付けることによって、誘導手段２０が四対の挟持部材３０を備えるようにしてある。
【００１４】
誘導手段２０に挟持部材３０を取り付けるにあたり、対をなす雄部材３１と雌部材３５のそれぞれは、平行に配された二つの軸２１０，２２０の各々を中心とする同一円周上を互いに逆回りに同期して周回するよう取り付けられている。
これにより、対をなす雄部材３１と雌部材３５とは、互いの周回軌道を周回しながら近接と離間とを繰り返すようになっている。そして、誘導手段２０が、二つの折り返し位置Ｐ１，Ｐ２のそれぞれに長尺シートＳを誘導するに際して、第一誘導部２１と第二誘導部２２の一方に取り付けられた雄部材３１と、他方に取り付けられた雌部材３５とが近接し、図２に示すように、長尺シートＳを挟持して折りクセを形成することができるようになっている。
【００１５】
挟持部材３０によって折りクセが形成された長尺シートＳは、雌部材３５の凹溝３６に保持された状態で、軸２１０，２２０の回転に伴って第一の折り返し位置Ｐ１又は第二の折り返し位置Ｐ２に誘導されていく。このとき、雌部材３５には、凹溝３６内に開口する吸引口３６０を形成しておき、凹溝３６に保持された長尺シートＳを吸引することによって長尺シートＳの脱落を防止しつつ、それぞれの折り返し位置Ｐ１，Ｐ２に長尺シートＳを確実に誘導できるようにするのが好ましい。
【００１６】
ここで、第一誘導部２１と第二誘導部２２のそれぞれに、挟持部材３０としての雄部材３１と雌部材３５とを取り付けるにあたり、第一誘導部２１にあっては、六つの円板状の部材２１１，２１２，２１３，２１４，２１５，２１６が軸２１０に取り付けられている。そして、部材２１１，２１２間、部材２１３，２１４間、部材２１５，２１６間のそれぞれにおいて、その周縁に沿って雄部材３１と雌部材３５とを等角度間隔で交互に架設することによって、軸２１０を中心とする同一円周上を雄部材３１と雌部材３５とが周回するように取り付けられている。
このように、図示する例では、雄部材３１と雌部材３５とが、部材２１２，２１３間と部材２１４，２１５間で分断されるようになっているが、これは、部材２１２，２１３間と部材２１４，２１５間に、雌部材３５の凹溝３６に入り込んだ状態で保持されている長尺シートＳを引き剥がすための剥離アーム５１が設けられるようにするためである。
【００１７】
第二誘導部２２も第一誘導部２１と同様とされ、六つの円板状の部材２２１，２２２，２２３，２２４，２２５，２２６が、それぞれ軸２２０に取り付けられている。そして、部材２２１，２２２間、部材２２３，２２４間、部材２２５，２２６間のそれぞれにおいて、その周縁に沿って雄部材３１と雌部材３５とが等角度間隔で交互に架設されているとともに、部材２２２，２２３間、部材２２４，２２５間には、剥離アーム５２が設けられている。
【００１８】
また、第一誘導部２１と第二誘導部２２のそれぞれに、上記のようにして取り付けられる雌部材３５には、その中心を貫通する通気口３５０が設けられている。第一誘導部２１の断面を図６に示すが、第一誘導部２１にあっては、部材２２１，２２２間に設けられた雌部材３５の通気口３５０と、部材２２３，２２４間に設けられた雌部材３５の通気口３５０とが、連結ホース３７１，３７２によって連結されており、同様に、部材２２３，２２４間に設けられた雌部材３５の通気口３５０と、部材２２５，２２６間に設けられた雌部材３５の通気口３５０とが、連結ホース３７３，３７４によって連結されている。これとともに、第一誘導部２１の両端側に位置する部材２１１と部材２１６には、それぞれに架設された雌部材３５の通気口３５０と連通する開口３５１が設けられている。
【００１９】
さらに、第一誘導部２１の両端に位置する部材２１１と部材２１６の周縁側には、図５に示すような吸引ブロック４０が、部材２１１と部材２１６のそれぞれの側面に密着した状態で図示しない支持フレームに固定されている。この吸引ブロック４０には、図示しない吸引ポンプに接続された吸引ホース４２が取り付けられており、吸引ブロック４０の部材２１１又は部材２１６と対向する面には、周方向に沿って円弧状に開口する開口部４１が形成されている。
【００２０】
これにより、図７に示すように、軸２１０の回転に伴って部材２１１及び部材２１６に設けられた開口３５１が移動して、吸引ブロック４０の開口部４１と重なると（図７（ｂ），（ｃ）参照）、雌部材３５の通気口３５０に連通し、かつ、凹溝３６内に開口する吸引口３６０から、長尺シートＳを吸引できるようになっている。そして、開口３５１がさらに移動して開口部４１から外れると、長尺シートＳの吸引が解除されるようになっている。
なお、図７では、説明の都合上、部材２１６に設けられている二つの開口３５１のうち一方の図示を省略している。また、第二誘導部２２も同様の構成であるため、第二誘導部２２についての説明は省略する。
【００２１】
このような装置１によれば、次のようにして、長尺シートＳを九十九折りに積み重ねていくことができる。
図１は、第一誘導部２１によって長尺シートＳが第一の折り返し位置Ｐ１に誘導された状態を示しているが、この状態から図中矢印で示す方向に、第一誘導部２１が軸２１０を中心にさらに回転すると、第一折り返し位置Ｐ１に誘導された長尺シートＳに対する吸引が解除される。そのタイミングで、図８に示すように剥離アーム５１を下動させれば、長尺シートＳが折り返された状態で雌部材３５の凹溝３６から引き剥がされる。これと同様に、第二誘導部２２の雌部材３５の凹溝３６に保持された長尺シートＳが、第二の折り返し位置Ｐ２に誘導され（図９参照）、吸引が解除されたタイミングで剥離アーム５２を下動させれば、長尺シートＳが上記とは逆向きに折り返された状態で雌部材３５の凹溝３６から引き剥がされる。そして、このような動作を繰り返すことで、載置台６０上に、折り返される向きが上下で互い違いとなるように九十九折りにされた長尺シートＳが積み重ねられていく。
なお、このようにして載置台６０上に長尺シートＳを積み重ねて行くにあたり、載置台６０は、その高さを積み重ねられた長尺シートＳの量に応じて適宜調整できるように、昇降可能に構成するのが好ましい。
【００２２】
供給手段１０から誘導手段２０に所定の長さの長尺シートＳが供給されると、切断部１２によって長尺シートＳを切断し、これととともに、供給手段１０による長尺シートＳの供給を停止する。そして、誘導手段２０に供給された長尺シートＳの全てが載置台６０上に積み重ねられるのを待って、九十九折りに積み重ねられた長尺シートＳを搬出する。このとき、載置台６０を二つ用意するとともに、これらを図１、図８及び図９における紙面に対して垂直な方向に移動可能とし、所定の長さ分の長尺シートＳが積み重ねられて搬出された載置台６０と、空の載置台６０とが交互に入れ替わるようにするのが好ましい。
【００２３】
搬出のために移動した載置台６０に代わって、空の載置台６０が誘導手段２０の下方に到達するタイミングに合わせて、供給手段１０による長尺シートＳの供給を再開する。そして、上記した動作を繰り返すことによって、新たに供給されてきた長尺シートＳが九十九折りにされて載置台６０上に積み重ねられていく。
このようにして、長尺シートＳを九十九折りに積み重ねていく装置１によれば、長尺シートＳをより効率よく九十九折りにして積み重ねていくことができる。しかも、挟持部材３０によって挟持することで、長尺シートＳの折り返し部に十分な折りクセを付けることができるので、九十九折りにされた長尺シートＳを積み重ねたときの嵩張りを少なくすることが可能である。
【００２４】
また、本実施形態の装置１によって九十九折りに積み重ねていく長尺シートＳとしては、種々のものを対象とすることができるが、本実施形態の装置１によれば、比較的厚手のものであっても十分な折りクセを付けることができる。このため、本実施形態の装置１は、特に、包装用の緩衝材をはじめとする各種の用途に広く利用されている気泡シート（すなわち、合成樹脂製のフィルム材に中空状に膨出する多数の突起部を形成するとともに、この突起部の開口側に別のフィルム材を貼り合わせて空気を封入することによって独立した多数の気泡室を形成してなる気泡シート）に折りクセをつけながら、これを嵩張らずに九十九折りに折り畳んでいくのに好適に利用することができる。
これにより、従来この種の気泡シートは、ロール状に巻き取られて輸送されていたところ、ロール状に巻き取ったものはロール間に隙間が生じてしまうため、スペース効率に劣っていた。これに対して、本実施形態の装置１によって、嵩張りを少なくして九十九折りに折り畳んだ状態で輸送するようにすれば、輸送時のスペース効率の改善を図ることができる。
【００２５】
以上、本発明について、好ましい実施形態を示して説明したが、本発明は、前述した実施形態にのみ限定されるものではなく、本発明の範囲で種々の変更実施が可能であることは言うまでもない。
【００２６】
例えば、前述した実施形態では、第一誘導部２１と第二誘導部２２のそれぞれに、雄部材３１と雌部材３５とを交互に二つずつ周縁に沿って等角度間隔で取り付けることによって、誘導手段２０が四対の挟持部材３０を備えるようにしてあるが、これに限定されない。すなわち、雄部材３１と雌部材３５とを周縁に沿って交互に取りつける間隔が、長尺シートＳを折り畳んだときの一方の折り返し部から他方の折り返し部までの長さに相当するから、当該長さに応じて挟持部材３０の数や間隔を適宜調整することができる。
【００２７】
また、前述した実施形態では、誘導手段２０が、雌雄一対の部材３１，３５からなる狭持部材３０を備え、雄部材３１と雌部材３５とが近接して長尺シートＳを挟持して折りクセを形成するとともに、凹溝３６に長尺シートＳを保持させて、第一又は第二の折り返し位置Ｐ１，Ｐ２に長尺シートＳを誘導するようにしたが、誘導手段２０の具体的な構成はこれに限定されない。誘導手段２０は、第一又は第二の折り返し位置Ｐ１，Ｐ２のそれぞれに、長尺シートＳを交互に誘導することができればよく、例えば、図１０に示すように、長尺シートＳの供給に同期して鉛直方向下向きに移動し、かつ、長尺シートＳの一方の主面側と他方の主面側とから、水平方向に沿って互い違いに重なるように近接し、その後、離間するようにされた複数の誘導板２１１，２２１によって、長尺シートＳを第一又は第二の折り返し位置Ｐ１，Ｐ２に交互に誘導するようにしてもよい。
【産業上の利用可能性】
【００２８】
本発明は、長尺シートを九十九折りにして積み重ねることができる長尺シート九十九折り装置を提供する。
【符号の説明】
【００２９】
１          長尺シート九十九折り装置
１０        供給手段
２０        誘導手段
２１        第一誘導部
２１０      軸
２２        第二誘導部
２２０      軸
３０        挟持部材
３１        雄部材
３２        凸条
３５        雌部材
３６        凹溝
３６０      吸引口
５１，５２  剥離アーム
Ｓ          長尺シート
Ｐ１        第一の折り返し位置
Ｐ２        第二の折り返し位置
【図１】
2011213467.tif 000003
【図２】
2011213467.tif 000004
【図３】
2011213467.tif 000005
【図４】
2011213467.tif 000006
【図５】
2011213467.tif 000007
【図６】
2011213467.tif 000008
【図７】
2011213467.tif 000009
【図８】
2011213467.tif 000010
【図９】
2011213467.tif 000011
【図１０】
2011213467.tif 000012